(57)【要約】【課題】ほどよい大きさの注ぎ口を簡単に作れて、大容量である場合にも詰替え作業を行い易い、包装袋を提供する。【解決手段】フィルム壁１１、１１を対向させて配置し、周縁をシールして構成される包装袋１０。上端のシール辺２０が、幅狭シール部２１と幅広シール部２２とを有して段差状に形成されている。また、幅狭シール部２１に対して、袋コーナ部３０を介して隣接する他のシール辺４０に切欠き４１（開封開始部）を設ける。切欠き４１を開封のきっかけとして、幅広シール部２２に向かって力を作用させながら開封すると、幅狭シール部２１の全長“Ｌ”に対応する部分のみが破り開けられて、ほどよい大きさの注ぎ口が形成される。【選択図】図１
2008081151.tif 000002
【特許請求の範囲】
【請求項１】
フィルム壁（１１、１１）を対向させて配置し、周縁をシールして構成される包装袋であって、
袋の一辺に沿うシール辺（２０）が、幅狭シール部（２１）と幅広シール部（２２）とを有して段差状に形成され、
上記幅狭シール部（２１）に対して袋コーナ部（３０）を介して隣接する他のシール辺（４０）に、破断強度を弱めた開封開始部（４１、４６）を設けたことを特徴とする、包装袋。
【請求項２】
上記開封開始部は、切欠き（４１）、あるいは多数の突刺し孔（４５）からなる傷痕群（４６）で構成されていることを特徴とする、請求項１記載の包装袋。
【請求項３】
上記フィルム壁（１１）に、開封開始部（４１、４６）から幅広シール部（２２）に至る、破断強度が弱められた案内線（２８）を形成したことを特徴とする、請求項１記載の包装袋。
【請求項４】
上記フィルム壁（１１）は積層体で構成されていて、その中の一部の層に上記案内線（２８）を形成したことを特徴とする、請求項３記載の包装袋。
【請求項５】
上記案内線（２８）は、フィルム壁（１１）上で、
幅狭シール部（２１）の外側をその内端縁（２１ａ）に沿って幅広シール部（２２）内に至り、
そこから湾曲して、幅広シール部（２２）の内端縁（２２ａ）に向かい、
当該幅広シール部（２２）の内端縁（２２ａ）に沿って、幅広シール部（２２）内を延在していることを特徴とする、請求項３または４記載の包装袋。
【発明の詳細な説明】
【技術分野】
【０００１】
本発明は、粉状食品等を収容する包装袋に関する。さらに詳しくは、詰替用として利用するのに好適な包装袋に関する。
【背景技術】
【０００２】
詰替用の包装袋に収容して販売される粉コーヒー等は、従来から知られている。最初はビン入りの粉コーヒーを購入した消費者は、ビンが空になると、詰替用袋に入った粉コーヒーを購入し、空になったビンに詰め替える。
詰替用袋に入った粉コーヒーは、ビン入りのものよりも安価であるため、全体として消費者の出費を抑えることができる。
【０００３】
詰替用袋として利用できる包装袋は種々考案されており、例えば、特許文献１や特許文献２に示したもの等が知られている。
しかし、これらの文献に示された袋は、いずれも、袋体の上部を全開して使用するタイプであって、開封時の開口が大きすぎ、詰替え作業が不便となる。特に、詰め替えるビンの口が小さい場合には、粉体がこぼれてしまうこともある。
また、上部を全開して使用することを意図して作られた袋体を、その上部の一部分だけ開口させた状態に保って使用するには無理があって、徐々に開口部が大きく拡いていく等の不都合がある。
【０００４】
【特許文献１】実開昭４８−７７３２２号公報
【特許文献２】実開平５−２４５３４号公報
【発明の開示】
【発明が解決しようとする課題】
【０００５】
本発明は、上記諸事情に鑑みて、ほどよい大きさの開口（注ぎ口）を簡単に作れて、大容量である場合にも詰替え作業を行い易い、包装袋を提供することを目的とする。
【課題を解決するための手段】
【０００６】
本発明は、上記課題を有効に解決するために創案されたものであって、以下の特徴を備えた包装袋を提供する。
本発明の包装袋は、フィルム壁を対向させて配置し、周縁をシールして構成される。袋の一辺に沿うシール辺が、「幅狭シール部」と「幅広シール部」とを有して段差状に形成されている。そして、幅狭シール部に対して袋コーナ部を介して隣接する他のシール辺に、破断強度を弱めた開封開始部を設けている。
【０００７】
上記開封開始部は、破断強度が局所的に弱められた構成であればどのようなものであってもよい。例えば、「切欠き」や「多数の突刺し孔からなる傷痕群」を開封開始部とすることができる。
【発明の効果】
【０００８】
上記構成を有する本発明の包装袋においては、開封開始部を開封のきっかけとして、幅広シール部に向かって力を作用させながら開封すると、幅狭シール部に対応する部分のみが破り開けられて、ほどよい大きさの注ぎ口が形成される。
また、この注ぎ口の大きさは、幅広シール部によって固定され、不必要に徐々に拡がっていくこともない。
【発明を実施するための最良の形態】
【０００９】
本発明の実施形態を、添付の図面を参照して以下に説明する。図１は、本発明の一実施形態に係る包装袋１０を示す斜視図である。
【００１０】
≪包装袋１０の全体構成≫
包装袋１０は、フィルム壁１１を対向させて配置し、周縁をシールして構成されるもので、図１では、手前側の片方のフィルム壁１１だけが現れている。図示の包装袋１０は、底部が２マタに分かれた自立タイプのものであるが、本発明においては、袋が自立タイプであるか否かは問わない。
【００１１】
包装袋１０は、その上辺に沿うシール辺２０が、幅狭シール部２１と幅広シール部２２とを有して段差状に形成されている。本発明における「幅狭シール部」および「幅広シール部」は、相対的な幅の大小を意味しており、両者の組み合わせの結果、シール辺が段差状となっていれば足りる。
なお、図１では、段差状となったシール辺２０を明瞭に図示するために、一点鎖線の補助線２５を併せて示している。
【００１２】
包装袋１０の縦方向に延在するシール辺４０は、図１において、左上部の袋コーナ部３０を介して、幅狭シール部２１に隣接している。そして、このシール辺４０上に、開封開始部としての切欠き４１を形成している。すなわち、切欠き４１の部分には、応力が集中して破断強度が弱まるので、ここから簡単に開封作業を開始することができる。
【００１３】
≪上記構成による作用≫
包装袋１０は、切欠き４１の部分から簡単に開封することができる。切欠き４１の部分を摘んで、破断が幅広シール部２２に到達するように破り開けると、それにより形成される開口（注ぎ口）は、幅狭シール部２１の全長“Ｌ”に対応したものとなる。そして、この包装袋１０を詰替用の粉コーヒーに利用する場合には、この開口からビン等の容器内に内容物である粉コーヒーを注ぎ込む。
【００１４】
すなわち、包装袋１０の上部に位置するシール辺２０がその全長に渡って破り開けられるのではなく、幅狭シール部２１の全長“Ｌ”に対応する部分のみが部分的に破り開けられる。したがって、開封後の開口（注ぎ口）が不必要に大きくなってしまうことはない。
また、形成された開口（注ぎ口）の大きさは、幅広シール部２２によって固定されるので、当該開口が不必要に徐々に拡がっていくこともない。すなわち、図１中に“Ｌ”で示した長さを超えて、開口が大きくなることはない。
【００１５】
≪開封開始部として、傷痕群を利用する例≫
以上の例では、破断強度を弱めた開封開始部として切欠き４１を用いているが、これに代えて、多数の突刺し孔４５で構成される傷痕群４６を採用することもできる。これは、図２中の円“Ａ”内に拡大して示したもので、シール部に小さな突刺し孔４５を多数形成し、これにより、破断強度を弱めたものである。
開封開始部として切欠きを利用する場合には、包装袋の輸送中等において、当該切欠き部に何らかの物体が引っ掛かって、不用意に破れてしまう等の可能性があるが、傷痕群４６を利用する場合には、引っ掛かりが存在しないので、そのような不都合はない。
【００１６】
≪案内線≫
切欠き４１の部分を摘んで、幅広シール部２２に向かって力を作用させながら開封すると、上述した通り、幅狭シール部２１に対応する部分のみが破り開けられる。しかし、このことを確実とするために、以下に説明する案内線を設けることが好ましい。
【００１７】
図２は、図１と同じ図であるが、案内線２８を破線で示している。「案内線」とは、この線に沿う破断強度を弱めたものであって、例えば、「一定間隔で設けた多数の貫通孔で構成されるミシン目」や、「フィルム壁１１の全厚を貫通するのではなく、途中まで切込みを入れたハーフカット」、その他適宜の構成を採用することができる。
また、フィルム壁１１を積層体で構成して、その中の一部の層に対して、「案内線」を設けてもよい。
【００１８】
なお、内容物との関係で、袋の密閉性が要求される場合には、案内線２８のうち、図１中“Ｌ”で示した部分は上記「ハーフカット」で構成し、幅広シール部２２内では、案内線２８を上記「ミシン目」で構成することが好ましい。
【００１９】
このような案内線２８を設けることで、消費者による破り開け作業時に、切欠き４１から幅広シール部２２に向かって、確実に破断を進行させることができる。
案内線２８が存在しない場合、切欠き４１を開始点として進行する破断が、途中で図２中下方に向きを変え、幅広シール部２２よりも下側を進行し、誤って大きな開口が形成される、ということも生じ得る。
案内線２８を設けることで、これを未然に防止できる。
【００２０】
≪案内線の幾何学形状≫
案内線２８の幾何学形状は、切欠き４１から幅広シール部２２に至るもので、それにより、幅狭シール部２１に対応する部分にだけ開口が形成されるものであればよい。ただ、図２に示した案内線２８は、特に好ましい幾何学形状を有している。
【００２１】
すなわち、案内線２８は、幅狭シール部２１の外側（図２中、下方側）をその内端縁２１ａに沿って幅広シール部２２内に至る。案内線２８は、ここから湾曲して、幅広シール部２２の内端縁２２ａに向かう。その後、当該幅広シール部２２の内端縁２２ａに沿って、幅広シール部２２内を延在し、包装袋１０の反対側のシール辺５０にまで至る。
「内端縁」とは、各シール部２１、２２の袋内の収納空間側の端縁を意味している。
【００２２】
案内線２８が以上のような幾何学形状を有することにより、破り開けた後における包装袋１０の注ぎ口１５は、図３に模式的に示したような形態を有する。すなわち、注ぎ口１５が周囲よりも突出して、いわゆる「からす口」の如き形態となり、これは特に、小さい口のビンに対する詰替えを行う場合に好都合である。
【図面の簡単な説明】
【００２３】
【図１】本発明の一実施形態に係る包装袋を示す斜視図。
【図２】図１の包装袋に形成した案内線を説明する斜視図。
【図３】図２の包装袋を破り開けた場合の注ぎ口の形態を示す模式図。
【符号の説明】
【００２４】
１０  包装袋
１１  フィルム壁
１５  注ぎ口
２０  シール辺
２１  幅狭シール部
２１ａ  幅狭シール部の内端縁
２２  幅広シール部
２２ａ  幅広シール部の内端縁
２８  案内線
３０  袋のコーナ部
４０  シール辺
４１  切欠き
４５  突刺し孔
４６  傷痕群
５０  シール辺
【図３】
2008081151.tif 000003
【図１】
2008081151.tif 000004
【図２】
2008081151.tif 000005